(57)【要約】【課題】スモールセルに特化した高効率なスモールセル無線アクセスを提供すること。【解決手段】マクロセルを形成するマクロ基地局装置（３０）と、マクロ基地局装置（３０）と通信リンクを介して接続されマクロセル内にスモールセルを形成する複数のローカル基地局装置とを備えた通信システムにおいて、マクロ基地局装置（３０）又はローカル基地局装置は、スモールセルが送受信する信号を特定の無線リソースに割り当てて送信すると共に、スモールセルが送受信する信号を割り当てた無線リソースを識別可能な識別情報を移動端末装置に通知する。【選択図】図７
2014082588.tif 000002
【特許請求の範囲】
【請求項１】
マクロセルを形成するマクロ基地局装置と、前記マクロ基地局装置と通信リンクを介して接続され前記マクロセル内にスモールセルを形成する複数のローカル基地局装置とを備えた通信システムであって、
前記マクロ基地局装置又は前記ローカル基地局装置は、スモールセルが送受信する信号を特定の無線リソースに割り当てて送信すると共に、前記スモールセルが送受信する信号を割り当てた無線リソースを識別可能な識別情報を移動端末装置に通知することを特徴とする通信システム。
【請求項２】
前記マクロ基地局装置又は前記ローカル基地局装置は、無線フレームに含まれるサブフレームのうち、ＭＢＳＦＮ（ＭＢＭＳ  Ｓｉｎｇｌｅ  Ｆｒｅｑｕｅｎｃｙ  Ｎｅｔｗｏｒｋ）サブフレームとして選択可能なサブフレームに限定して前記スモールセルが送受信する信号を割り当てることを特徴とする請求項１記載の通信システム。
【請求項３】
前記マクロ基地局装置又は前記ローカル基地局装置は、ＲＲＭ／ＲＬＭメジャメントリストリクションでＲＲＭ／ＲＬＭメジャメントを制限したサブフレームに限定して前記スモールセルが送受信する信号を割り当てることを特徴とする請求項１記載の通信システム。
【請求項４】
前記マクロ基地局装置又は前記ローカル基地局装置は、ＣＳＩメジャメントリストリクションでＣＳＩメジャメントの実行を指定したサブフレームに限定して前記スモールセルが送受信する信号を割り当てることを特徴とする請求項１記載の通信システム。
【請求項５】
前記マクロ基地局装置又は前記ローカル基地局装置は、ＣＳＩ−ＲＳが多重可能な無線リソースに限定して前記スモールセルが送受信する信号を割り当てることを特徴とする請求項１記載の通信システム。
【請求項６】
前記マクロ基地局装置又は前記ローカル基地局装置は、物理下りリンク制御チャネルが割り当てられるリソースを持たないキャリアタイプのサブフレームに限定して前記スモールセルが送受信する信号を割り当てることを特徴とする請求項１記載の通信システム。
【請求項７】
前記マクロ基地局装置又は前記ローカル基地局装置は、前記識別情報を上位レイヤシグナリングで前記移動端末装置に通知することを特徴とする請求項１記載の通信システム。
【請求項８】
前記マクロ基地局装置は、前記スモールセルが送受信する信号として、信号送信が停止されるスモールセルを特定可能な信号を送信することを特徴とする請求項１記載の通信システム。
【請求項９】
前記ローカル基地局装置は、前記スモールセルが送受信する信号として、前記ローカル基地局装置の検出に用いられる基準信号を送信することを特徴とする請求項１記載の通信システム。
【請求項１０】
特定の移動端末装置のアクセス候補として複数のスモールセルが存在するネットワークに接続された基地局装置であって、
スモールセルが送受信する信号を特定の無線リソースに多重する多重部と、前記スモールセルが送受信する信号を送信すると共に当該スモールセルが送受信する信号を多重した無線リソースを識別可能な識別情報を送信する送信部とを具備することを特徴とする基地局装置。
【請求項１１】
前記多重部は、無線フレームに含まれるサブフレームのうち、ＭＢＳＦＮ（ＭＢＭＳ  Ｓｉｎｇｌｅ  Ｆｒｅｑｕｅｎｃｙ  Ｎｅｔｗｏｒｋ）サブフレームとして選択可能なサブフレームに限定して前記スモールセルが送受信する信号を多重することを特徴とする請求項１０記載の基地局装置。
【請求項１２】
前記多重部は、ＲＲＭ／ＲＬＭメジャメントリストリクションでＲＲＭ／ＲＬＭメジャメントを制限したサブフレームに限定して前記スモールセルが送受信する信号を多重することを特徴とする請求項１０記載の基地局装置。
【請求項１３】
前記多重部は、ＣＳＩメジャメントリストリクションでチャネル受信品質情報測定の実行を指定したサブフレームに限定して前記スモールセルが送受信する信号を多重することを特徴とする請求項１０記載の基地局装置。
【請求項１４】
前記多重部は、ＣＳＩ−ＲＳが多重可能な無線リソースに限定して前記スモールセルが送受信する信号を多重することを特徴とする請求項１０記載の基地局装置。
【請求項１５】
前記多重部は、物理下りリンク制御チャネルが割り当てられるリソースを持たないキャリアタイプのサブフレームに限定して前記スモールセルが送受信する信号を多重することを特徴とする請求項１０記載の基地局装置。
【請求項１６】
前記送信部は、前記識別情報を上位レイヤシグナリングに含めて送信することを特徴とする請求項１０記載の基地局装置。
【請求項１７】
マクロセルを形成するマクロ基地局装置を構成し、前記送信部は、前記スモールセルが送受信する信号として、信号送信が停止されるスモールセルを特定可能な信号を送信することを特徴とする請求項１０記載の基地局装置。
【請求項１８】
マクロセルを形成するマクロ基地局装置と通信リンクを介して接続され前記マクロセル内にスモールセルを形成するローカル基地局装置を構成し、前記送信部は、前記スモールセルが送受信する信号として、前記ローカル基地局装置の検出に用いられる基準信号を送信することを特徴とする請求項１０記載の基地局装置。
【請求項１９】
マクロセルを形成するマクロ基地局装置と、前記マクロ基地局装置と通信リンクを介して接続され前記マクロセル内にスモールセルを形成する複数のローカル基地局装置と、を備えた通信システムにおける通信方法であって、
前記マクロ基地局装置又は前記ローカル基地局装置から、スモールセルが送受信する信号を特定の無線リソースに割り当てて送信するステップと、前記スモールセルが送受信する信号を割り当てた無線リソースを識別可能な識別情報を移動端末装置に通知するステップとを具備することを特徴とする通信方法。
【発明の詳細な説明】
【技術分野】
【０００１】
本発明は、次世代移動通信システムにおける通信システム、基地局装置及び通信方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワークにおいて、さらなる高速データレート、低遅延などを目的としてロングタームエボリューション（ＬＴＥ：Ｌｏｎｇ  Ｔｅｒｍ  Ｅｖｏｌｕｔｉｏｎ）が検討されている（非特許文献１）。ＬＴＥではマルチアクセス方式として、下り回線（下りリンク）にＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）をベースとした方式を用い、上り回線（上りリンク）にＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）をベースとした方式を用いている。
【０００３】
また、ＬＴＥからのさらなる広帯域化及び高速化を目的として、ＬＴＥの後継システムも検討されている（例えば、ＬＴＥアドバンスト又はＬＴＥエンハンスメントと呼ぶこともある（以下、「ＬＴＥ−Ａ」という））。ＬＴＥ−Ａの１つであるＲｅｌ−１０においては、ＬＴＥシステムのシステム帯域を１単位とする複数のコンポーネントキャリア（ＣＣ：  Ｃｏｍｐｏｎｅｎｔ  Ｃａｒｒｉｅｒ）を束ねて広帯域化するキャリアアグリゲーションの採用が合意されている。また、Ｒｅｌ−１０及びそれ以降のＬＴＥ−Ａにおいて、マクロセルエリア内に多数の小セルをオーバレイするヘテロジーニアスネットワーク（ＨｅｔＮｅｔ：Ｈｅｔｅｒｏｇｅｎｅｏｕｓ  Ｎｅｔｗｏｒｋ）構成による大容量化が検討されている。
【先行技術文献】
【非特許文献】
【０００４】
【非特許文献１】３ＧＰＰ  ＴＲ  ２５．９１３“Ｒｅｑｕｉｒｅｍｅｎｔｓ  ｆｏｒ  Ｅｖｏｌｖｅｄ  ＵＴＲＡ  ａｎｄ  Ｅｖｏｌｖｅｄ  ＵＴＲＡＮ”
【発明の概要】
【発明が解決しようとする課題】
【０００５】
ところで、Ｗ−ＣＤＭＡ、ＬＴＥ（Ｒｅｌ．８）、ＬＴＥの後継システム（例えば、Ｒｅｌ．９、Ｒｅｌ．１０）等のセルラシステムでは、マクロセルをサポートするように無線通信方式（無線インタフェース）が設計されている。今後は、このようなセルラ環境に加えて、インドア、ショッピングモール等のスモールセルでの近距離通信による高速無線サービスを提供することが想定される。このため、マクロセルでカバレッジを確保しつつ、スモールセルでキャパシティを確保できるように、スモールセルに特化した新たな無線通信方式の設計が求められている。
【０００６】
本発明はかかる点に鑑みてなされたものであり、高効率なスモールセル無線アクセスを提供できる通信システム、基地局装置及び通信方法を提供することを目的とする。
【課題を解決するための手段】
【０００７】
本発明の通信システムは、マクロセルを形成するマクロ基地局装置と、前記マクロ基地局装置と通信リンクを介して接続され前記マクロセル内にスモールセルを形成する複数のローカル基地局装置とを備えた通信システムにおいて、前記マクロ基地局装置又は前記ローカル基地局装置は、スモールセルが送受信する信号を特定の無線リソースに割り当てて送信すると共に、前記スモールセルが送受信する信号を割り当てた無線リソースを識別可能な識別情報を移動端末装置に通知することを特徴とする。
【発明の効果】
【０００８】
本発明によれば、スモールセルに特化した高効率なスモールセル無線アクセスを提供することが可能となる。
【図面の簡単な説明】
【０００９】
【図１】マクロセル内に多数のスモールセルを配置した構成を示す図である。
【図２】図２Ａはマクロセルとスモールセルとが同一のキャリアで運用されるＨｅｔＮｅｔ構成図であり、図２Ｂはマクロセルとスモールセルとが異なるキャリアで運用されるＨｅｔＮｅｔ構成図である。
【図３】ＭＢＳＦＮサブフレームを含む無線フレームの説明図である。
【図４】ＲＲＭ／ＲＬＭメジャメントリストリクションでＲＲＭ／ＲＬＭメジャメントが制限されたサブフレームを含む無線フレームの説明図である。
【図５】ＣＳＩメジャメントリストリクションでＣＳＩメジャメントの実行が指定されるサブフレームの説明図である。
【図６】無線通信システムのシステム構成の説明図である。
【図７】マクロセル基地局装置の全体構成図である。
【図８】スモールセル基地局装置の全体構成図である。
【発明を実施するための形態】
【００１０】
図１に示すように、ヘテロジーニアスネットワーク構成では、マクロセルエリア内に多数の小セルが配置されるが、マクロセルエリア内に多数のスモールセルＳを配置する場合、ネットワークコストに対するキャパシティを考慮して、スモールセルＳを設計することが求められている。ネットワークコストとしては、例えば、ネットワークノードやバックホールリンク等の設置コスト、セルプランニングや保守対応等のオペレーションコスト、ネットワーク側の消費電力等が挙げられる。またスモールセルＳには、キャパシティ以外の要求として、移動端末装置側の省消費電力化やランダムセルプランニングのサポートが求められている。
【００１１】
本発明は、図２Ａ、Ｂに示す２種類のヘテロジーニアスネットワーク（Ｈｅｔｅｒｏｇｅｎｅｏｕｓ  Ｎｅｔｗｏｒｋ（ＨｅｔＮｅｔ））にそれぞれ適用可能である。
【００１２】
図２Ａに示すＨｅｔＮｅｔ構成は、マクロセルＭとスモールセルＳとが同一のキャリア（周波数Ｆ０）で運用される。３ＧＰＰにおいて、ＨｅｔＮｅｔにおけるセル間干渉制御（ｅＩＣＩＣ：  ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）技術が検討されている。その結果、時間領域のｅＩＣＩＣについて合意されている。時間領域（サブフレーム単位）での干渉コーディネーションはシングルキャリアでも適用可能である。Ａｌｍｏｓｔ  ｂｌａｎｋ  ｓｕｂｆｒａｍｅ（データを送信しないサブフレーム）もしくはＭＢＳＦＮ  ｓｕｂｆｒａｍｅを無送信区間として利用し、干渉の低減が図られる。
【００１３】
図２Ｂに示すＨｅｔＮｅｔ構成では、マクロセルＭとスモールセルＳが別周波数（Ｆ１，Ｆ２）で運用される。マクロセルＭとスモールセルＳとを別周波数（Ｆ１，Ｆ２）で運用するためには、ＬＴＥ−Ａに規定されるキャリアアグリゲーションを用いることができる。Ｒｅｌ−１０においては、既存システム（ＬＴＥ）のシステム帯域を１単位とする複数のコンポーネントキャリア（ＣＣ：  Ｃｏｍｐｏｎｅｎｔ  Ｃａｒｒｉｅｒ）を束ねて広帯域化するキャリアアグリゲーションが規定されている。図２Ｂに示すＨｅｔＮｅｔ構成は、スモールセルＳにおいて従来のセルＩＤの概念がない、ユーザデータの伝送に特化した無線インターフェイス（ＮＣＴ：  Ｎｅｗ  Ｃａｒｒｉｅｒ  Ｔｙｐｅ）を適用するコンセプトである。
【００１４】
図２Ｂに示すＨｅｔＮｅｔ構成は、制御信号を伝送するＣ（Ｃｏｎｔｒｏｌ）−ｐｌａｎｅ及びユーザデータを伝送するＵ（Ｕｓｅｒ）−ｐｌａｎｅをそれぞれマクロセルＭ及びスモールセルＳで別々にサポートする。特に、マクロセルＭを既存のＬＴＥの周波数帯（例えば２ＧＨｚ帯）、スモールセルＳをマクロセルＭより高い周波数帯（例えば３．５ＧＨｚ帯）で運用することにより、移動局（ＵＥ：Ｕｓｅｒ  Ｅｑｕｉｐｍｅｎｔ）の移動に対する高い接続性を保持しつつ、広い帯域幅を用い、マクロセル／スモールセル間で干渉が生じない高速通信が実現できる。更に、セル固有の信号（ＣＲＳ等）を除去したＮＣＴの適用により、セルプラニングの簡易化、Ｅｎｅｒｇｙ  ｓａｖｉｎｇ、ＣｏＭＰ（Ｃｏｏｒｄｉｎａｔｅｄ  Ｍｕｌｔｉ−Ｐｏｉｎｔ）技術等の柔軟な適用といった多くのメリットが得られる。また，マクロセルＭは、Ｃ−ｐｌａｎｅ及びＵ−ｐｌａｎｅを共にサポートし、近くにスモールセルＳの存在しないＵＥの伝送品質の改善を実現する。
【００１５】
図２Ｂに示すＨｅｔＮｅｔ構成においては、マクロセルＭとスモールセルＳとの間で要求の違いや構成の相違点が考えられる。マクロセルＭは、帯域幅が限定されるため、周波数利用効率が非常に重要である。これに対して、スモールセルＳは、帯域幅を広く取り易いので、広い帯域幅を確保できればマクロセルＭほど周波数利用効率の重要性は高くない。マクロセルＭは、車等の高いモビリティにも対応する必要があるが、スモールセルＳは低いモビリティに対応すればよい。マクロセルＭは、カバレッジを広く確保する必要がある。一方で、スモールセルＳは、カバレッジを広く確保することが好ましいが、カバレッジの不足分はマクロセルＭでカバー可能である。
【００１６】
また、マクロセルＭは、上下リンクの電力差が大きく、上下リンクが非対称になっている。これに対し、スモールセルＳは、上下リンクの電力差が小さく、上下リンクが対称に近付けられている。さらに、マクロセルＭは、セル当たりの接続ユーザ数が多く、セルプランニングもされているため、トラヒックの変動が小さい。これに対し、スモールセルＳでは、セル当たりの接続ユーザ数が少なく、セルプランニングがされていない可能性もあるので、トラヒックの変動が大きい。このように、スモールセルＳは、マクロセルと最適な要求条件が異なっているので、スモールセルＳに特化した無線通信方式を設計する必要がある。
【００１７】
スモールセルＳ用の無線通信方式は、省消費電力化やランダムセルプランニングに起因した干渉を考慮すると、トラヒックが無い場合には無送信にする構成が望ましい。このため、スモールセルＳ用の無線通信方式は、限りなくＵＥ−ｓｐｅｃｉｆｉｃな設計が想定される。したがって、スモールセルＳ用の無線通信方式は、ＬＴＥにおけるＰＳＳ／ＳＳＳ（Ｐｒｉｍａｒｙ  Ｓｙｎｃｈｒｏｎｉｚａｔｉｏｎ  Ｓｉｇｎａｌ／Ｓｅｃｏｎｄａｒｙ  Ｓｙｎｃｈｒｏｎｉｚａｔｉｏｎ  Ｓｉｇｎａｌ）、ＣＲＳ（Ｃｅｌｌ−ｓｐｅｃｉｆｉｃ  Ｒｅｆｅｒｅｎｃｅ  Ｓｉｇｎａｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）等を使用せず、例えば、ｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）、ＤＭ−ＲＳ（Ｄｅｍｏｄｕｌａｔｉｏｎ  −  Ｒｅｆｅｒｅｎｃｅ  Ｓｉｇｎａｌ）をベースとして設計される。
【００１８】
ここで、ｅＰＤＣＣＨは、ＰＤＳＣＨ領域（データ信号領域）内の所定周波数帯域をＰＤＣＣＨ領域（制御信号領域）として使用するものである。ＰＤＳＣＨ領域に割り当てられたｅＰＤＣＣＨは、ＤＭ−ＲＳを用いて復調される。なお、ｅＰＤＣＣＨは、ＦＤＭ型ＰＤＣＣＨと呼ばれてもよいし、ＵＥ−ＰＤＣＣＨと呼ばれてもよい。また、スモールセルＳの無線通信方式では、既存のキャリアとは異なる新たなキャリアが用いられるが、この新たなキャリアは追加キャリア（Ａｄｄｉｔｉｏｎａｌ  ｃａｒｒｉｅｒ）と呼ばれてもよいし、拡張キャリア（ｅｘｔｅｎｓｉｏｎ  ｃａｒｒｉｅｒ）と呼ばれてもよい。
【００１９】
スモールセルＳ用の無線通信方式において、全てがＵＥ−ｓｐｅｃｉｆｉｃに設計されると、スモールセルに対する移動端末装置の初期アクセスの機会が得られない。このため、スモールセル用の無線通信方式においても、個々の移動端末装置とのデータチャネル（制御チャネル）通信に適したスモールセルを選択するためのＣｅｌｌ−ｓｐｅｃｉｆｉｃな基準信号を設ける必要があると考えられる。このような要請から、移動端末装置がデータチャネル（及び又は制御チャネル）送信に適したスモールセルを発見するためにスモールセルからＣｅｌｌ−ｓｐｅｃｉｆｉｃな基準信号を送信することが考えられる。
【００２０】
また、図２に示すようなＨｅｔＮｅｔ環境において、移動端末装置が配置されていないスモールセルや、移動端末装置に対してデータ通信を行っていないスモールセルからの信号送信を停止して休止モード（Ｄｏｒｍａｎｔ  ｍｏｄｅ）とすることが検討されている。このように必要のない場合に信号送信を停止することにより、消費電力の低減や他のセルに対する干渉量の低減が期待されている。そして、移動端末装置のアクセス候補として多数のスモールセルが存在するネットワーク構成の普及に伴い、今後、更なる消費電力や干渉量の低減等に関する技術が提案されると考えられる。
【００２１】
しかしながら、これらのスモールセルに関連する技術については、Ｒｅｌ.１２ＬＴＥ以降の仕様に対応する移動端末装置（Ｒｅｌ.１２ＬＴＥ以降の移動端末装置）においてサポートされる。これに対し、Ｒｅｌ．１１ＬＴＥ以前の仕様に対応する移動端末装置（Ｒｅｌ.１１ＬＴＥ以前の移動端末装置）においては、スモールセル関連技術がサポートされていない。このため、例えば、スモールセルからＣｅｌｌ−ｓｐｅｃｉｆｉｃな基準信号が送信される場合においても、Ｒｅｌ．１１ＬＴＥ以前の移動端末装置では、この基準信号を認識できない。この結果、この基準信号からの干渉に起因して、データ信号や制御信号の復調精度が劣化する等の不具合が発生し得る。
【００２２】
本発明者等は、移動端末装置のアクセス候補として多数のスモールセルが存在するネットワーク構成において、スモールセルが送受信する信号をサポートしていない移動端末装置に対して、スモールセルが送受信する信号が与える悪影響をどのようにして低減するかといった技術的課題に着目し、本発明に至った。
【００２３】
以下の説明では、移動端末装置がデータチャネル（及び又は制御チャネル）送信に適したスモールセルを発見するためにスモールセルから送信されるＣｅｌｌ−ｓｐｅｃｉｆｉｃな基準信号のことを「ＤＩＳＣＯＶＥＲＹ  ＳＩＧＮＡＬ」と呼ぶこととする。なお、「ＤＩＳＣＯＶＥＲＹ  ＳＩＧＮＡＬ」は、例えば、ＰＤＣＨ（Ｐｈｙｓｉｃａｌ  Ｄｉｓｃｏｖｅｒｙ  Ｃｈａｎｎｅｌ）、ＢＳ（Ｂｅａｃｏｎ  Ｓｉｇｎａｌ）、ＤＰＳ（Ｄｉｓｃｏｖｅｒｙ  Ｐｉｌｏｔ  Ｓｉｇｎａｌ）と呼ばれてもよい。また、マクロセルを構成する基地局装置のことを「マクロ局」と呼び、スモールセルを構成する基地局装置のことを「ローカル局」と呼ぶこととする。
【００２４】
なお、ＤＩＳＣＯＶＥＲＹ  ＳＩＧＮＡＬには、以下のような特徴を持つ信号を用いることができる。ＤＩＳＣＯＶＥＲＹ  ＳＩＧＮＡＬは、以下に示す（ａ）から（ｄ）のいずれかの信号で構成してもよいし、（ａ）から（ｄ）の信号を任意に組み合わせて構成してもよい。
（ａ）ＬＴＥ（Ｒｅｌ．８）で規定される同期信号（ＰＳＳ：Ｐｒｉｍａｒｙ  Ｓｙｎｃｈｒｏｎｉｚａｔｉｏｎ  Ｓｉｇｎａｌ、ＳＳＳ：Ｓｅｃｏｎｄａｒｙ  Ｓｙｎｃｈｒｏｎｉｚａｔｉｏｎ  Ｓｉｇｎａｌ）を用いることができる。
（ｂ）ＬＴＥ（Ｒｅｌ．８）で規定される同期信号と同一の系列を用いて、時間／周波数方向に異なる位置で多重した信号を用いることができる。例えば、ＰＳＳとＳＳＳを異なるスロットに多重した信号を用いることができる。
（ｃ）スモールセルを選択するために新たに規定したＤＩＳＣＯＶＥＲＹ  ＳＩＧＮＡＬを用いる。例えば、ＬＴＥ（Ｒｅｌ．８）で規定される同期信号（ＰＳＳ、ＳＳＳ）に比較して、送信周期を長くする、送信単位当りの無線リソース量を大きくする、といった特徴を有する信号を用いる。
（ｄ）ＬＴＥ−Ａ（Ｒｅｌ．１０）で規定されている既存の参照信号（ＣＳＩ−ＲＳ、ＣＲＳ、ＤＭ−ＲＳ、ＰＲＳ、ＳＲＳ）を用いることができる。または、既存の参照信号の一部（例えば、１ｐｏｒｔのＣＲＳを５ｍｓｅｃ周期で送信するような信号）を用いてもよい。
【００２５】
本発明においては、スモールセルが送信又は受信する信号（以下、「スモールセル通信信号」という）を特定の無線リソースに割り当てて送信すると共に、このスモールセル通信信号を割り当てた無線リソースを識別可能な情報（以下、「リソース識別情報」という）を移動端末装置に通知する通信システムを提供する。マクロ局又はローカル局は、スモール通信信号（例えば、ＤＩＳＣＯＶＥＲＹ  ＳＩＧＮＡＬ）を送信する。移動端末装置は、マクロ局又はローカル局から通知されたリソース識別情報に基づいてスモールセル通信信号が割り当てられた無線リソースを認識する。
【００２６】
これにより、移動端末装置に対してスモールセル通信信号のリソース識別情報が通知されるので、スモールセル通信信号をサポートしない移動端末装置において、該当する無線リソースを識別でき、スモールセル通信信号から受ける悪影響を低減することが可能となる。
【００２７】
本発明の第１の側面は、スモールセル通信信号を、無線フレームに含まれるサブフレームのうち、ＭＢＳＦＮ（ＭＢＭＳ  Ｓｉｎｇｌｅ  Ｆｒｅｑｕｅｎｃｙ  Ｎｅｔｗｏｒｋ）サブフレームとして選択可能なサブフレームに限定して割り当てると共に、このスモールセル通信信号を割り当てたＭＢＳＦＮサブフレームを移動端末装置に通知する通信システムを提供する。移動端末装置は、ＭＢＳＦＮサブフレームに基づいてスモールセル通信信号が割り当てられた無線リソース（サブフレーム）を認識する。
【００２８】
これにより、スモールセル通信信号のリソース識別情報としてＭＢＳＦＮサブフレームが移動端末装置に通知されるので、移動端末装置は、スモールセル通信信号を含むサブフレームを、メジャメントのみ可能なサブフレームとして認識できる。この結果、移動端末装置において、スモールセル通信信号を含むサブフレームを、通常のサブフレーム（例えば、データ信号や制御信号が多重されたサブフレーム）と判定する事態を防止できるので、データ信号や制御信号の復調精度が劣化する等の不具合の発生を抑制することが可能となる。
【００２９】
本発明の第２の側面は、スモールセル通信信号を、ＲＲＭ／ＲＬＭメジャメントリストリクションでＲＲＭ／ＲＬＭメジャメントを制限したサブフレームに限定して割り当てると共に、このスモールセル通信信号を割り当てたサブフレームをＲＲＭ／ＲＬＭメジャメントが制限されるサブフレームとして移動端末装置に通知する通信システムを提供する。移動端末装置は、ＲＲＭ／ＲＬＭメジャメントを制限されるサブフレームに基づいてスモールセル通信信号が割り当てられた無線リソース（サブフレーム）を認識する。
【００３０】
これにより、スモールセル通信信号のリソース識別情報としてＲＲＭ／ＲＬＭメジャメントが制限されるサブフレームが移動端末装置に通知されるので、移動端末装置は、スモールセル通信信号を含むサブフレームを、ＲＲＭ／ＲＬＭメジャメントを実行できないサブフレームとして認識できる。この結果、移動端末装置において、スモールセル通信信号を含むサブフレームを、ＲＲＭ／ＲＬＭメジャメントを実行できるサブフレームと判定する事態を防止できるので、適切なＲＲＭ／ＲＬＭメジャメントの測定結果をフィードバックすることが可能となる。
【００３１】
本発明の第３の側面は、スモールセル通信信号を、ＣＳＩメジャメントリストリクションでＣＳＩメジャメントの実行を指定したサブフレームに限定して割り当てると共に、このスモールセル通信信号を割り当てたサブフレームをＣＳＩメジャメントの実行が指定されるサブフレームとして移動端末装置に通知する通信システムを提供する。移動端末装置は、ＣＳＩメジャメントの実行が指定されるサブフレームに基づいてスモールセル通信信号が割り当てられた無線リソース（サブフレーム）を認識する。
【００３２】
これにより、スモールセル通信信号のリソース識別情報としてＣＳＩメジャメントの実行を指定したサブフレームが移動端末装置に通知されるので、移動端末装置は、スモールセル通信信号を含むサブフレームを、ＣＳＩメジャメントを実行すべきサブフレームとして認識できる。このため、移動端末装置は、スモールセル通信信号を含むサブフレームに基づいて干渉推定を行ったチャネル受信品質情報を報告する。一方、マクロ局又はローカル局においては、スモールセル通信信号を含むサブフレームに基づくチャネル受信品質情報と認識できるので、このチャネル受信品質情報の特性を把握することが可能となる。
【００３３】
本発明の第４の側面は、スモールセル通信信号を、ＣＳＩ−ＲＳが多重可能な無線リソースに限定して割り当てると共に、このスモールセル通信信号を割り当てた無線リソースを移動端末装置に通知する通信システムを提供する。移動端末装置は、ＣＳＩ−ＲＳが多重された無線リソースに基づいてスモールセル通信信号が割り当てられた無線リソースを認識する。
【００３４】
これにより、スモールセル通信信号のリソース識別情報としてＣＳＩ−ＲＳが多重された無線リソースが移動端末装置に通知されるので、移動端末装置は、スモールセル通信信号を含む無線リソースを、ＣＳＩ−ＲＳが多重された無線リソースとして認識できる。この結果、移動端末装置において、スモールセル通信信号を含む無線リソースを含めてレートマッチングを実行する事態を防止できるので、データ信号が多重され得る無線リソースを用いて適切にレートマッチングを実行することが可能となる。
【００３５】
本発明の第５の側面は、スモールセル通信信号を、物理下りリンク制御チャネルが割り当てられるリソースを持たないキャリアタイプ（ニューキャリアタイプ）のサブフレームに限定して割り当てると共に、このスモールセル通信信号を割り当てたサブフレームを移動端末装置に通知する通信システムを提供する。移動端末装置は、通知されたサブフレームに基づいてスモールセル通信信号が割り当てられた無線リソースを認識する。
【００３６】
これにより、スモールセル通信信号がニューキャリアタイプのサブフレームに割り当てられる。ニューキャリアタイプのサブフレームにおいては、スモールセル通信信号をサポートしない移動端末装置が接続することはないので、スモールセル通信信号をサポートしない移動端末装置がスモールセル通信信号から悪影響を受ける事態を防止することが可能となる。
【００３７】
次に、本発明の第１の側面について詳細に説明する。上述のように、第１の側面においては、スモールセル通信信号を、無線フレームに含まれるサブフレームのうち、ＭＢＳＦＮサブフレームとして選択可能なサブフレームに割り当てると共に、このスモールセル通信信号を割り当てたＭＢＳＦＮサブフレームを通知する。言い換えると、第１の側面においては、スモールセル通信信号をサポートしない移動端末装置（Ｒｅｌ−１１ＬＴＥ以前の移動端末装置）が接続するキャリアにおいては、スモールセル通信信号を含むサブフレームでデータ復調等を実行しないように、スモールセル通信信号を含むサブフレームをＭＢＳＦＮサブフレームとして、スモールセル通信信号をサポートしない移動端末装置に通知する。
【００３８】
ＭＢＳＦＮサブフレームでは、ＰＤＣＣＨの割当て領域として、サブフレームの先頭から最大２ＯＦＤＭシンボルが定められている。ＭＢＳＦＮサブフレームでは、ＰＤＣＣＨの割当て領域以外のリソースエレメント（ＲＥ）がＰＤＳＣＨの割当て領域として定められている。しかも、このＰＤＳＣＨの割当て領域には、ＣＲＳが割り当てられることがない。
【００３９】
図３は、ＭＢＳＦＮサブフレームを含む無線フレームの説明図である。図３に示すように、ＭＢＳＦＮサブフレームは、無線フレームを構成するサブフレーム＃０〜＃９のうち、サブフレーム＃０、＃４、＃５及び＃９を除くサブフレームに選択的に設定される。すなわち、サブフレーム＃１〜＃３、＃６〜＃８に選択的にＭＢＳＦＮサブフレームを設定できる。ＭＢＳＦＮサブフレームにおいて、移動端末装置は、メジャメントのみ実行できる。
【００４０】
マクロ局又はローカル局は、スモールセル通信信号を、このようにＭＢＳＦＮサブフレームとして選択可能なサブフレーム（サブフレーム＃１〜＃３、＃６〜＃８）に割り当てる。そして、このように割り当てたＭＢＳＦＮサブフレームを移動端末装置に通知する。例えば、ＭＢＳＦＮサブフレームの通知には、上位レイヤシグナリングが用いられるが、これに限定されない。報知信号や制御信号（例えば、ＰＤＣＣＨ）により通知することもできる。
【００４１】
スモールセル通信信号としては、例えば、上述したＤＩＳＣＯＶＥＲＹ  ＳＩＧＮＡＬや、スモールセルからの信号送信を停止する休止モード（Ｄｏｒｍａｎｔ  ｍｏｄｅ）を指定するための信号（以下、「休止モード指定信号」という）や、スモールセルから移動端末装置に送信される制御信号、同期信号、報知信号、参照信号やデータ信号、マクロセルからスモールセルに送信される制御信号、同期信号、報知信号、参照信号やデータ信号が含まれるが、これに限定されない。原則として、ＤＩＳＣＯＶＥＲＹ  ＳＩＧＮＡＬは、ローカル局から送信され、休止モード指定信号は、マクロ局から送信される。
【００４２】
ローカル局がＤＩＳＣＯＶＥＲＹ  ＳＩＧＮＡＬを送信する場合においても、ＤＩＳＣＯＶＥＲＹ  ＳＩＧＮＡＬを含む無線リソース（サブフレーム）は、ＭＢＳＦＮサブフレームに割り当てられている。そして、ＤＩＳＣＯＶＥＲＹ  ＳＩＧＮＡＬをサポートしない移動端末装置には、該当する無線リソース（サブフレーム）がＭＢＳＦＮサブフレームとして通知されている。このため、移動端末装置においては、ＤＩＳＣＯＶＥＲＹ  ＳＩＧＮＡＬを含む無線リソース（サブフレーム）を、通常のサブフレーム（例えば、データ信号や制御信号が多重されたサブフレーム）と判定する事態を防止できるので、データ信号や制御信号の復調精度が劣化する等の不具合の発生を抑制することが可能となる。
【００４３】
同様に、マクロ局が休止モード指定信号を送信する場合においても、休止モード指定信号を含む無線リソース（サブフレーム）は、ＭＢＳＦＮサブフレームに割り当てられている。そして、休止モード指定信号をサポートしない移動端末装置には、該当する無線リソース（サブフレーム）がＭＢＳＦＮサブフレームとして通知されている。このため、移動端末装置においては、休止モード指定信号を含む無線リソース（サブフレーム）を、通常のサブフレームと判定する事態を防止できるので、データ信号や制御信号の復調精度が劣化する等の不具合の発生を抑制することが可能となる。
【００４４】
次に、本発明の第２の側面について詳細に説明する。上述のように、第２の側面においては、スモールセル関連信号を、ＲＲＭ／ＲＬＭメジャメントリストリクションでＲＲＭ／ＲＬＭメジャメントを制限したサブフレームに限定して割り当てると共に、このスモールセル通信信号を割り当てたサブフレームをＲＲＭ／ＲＬＭメジャメントが制限されるサブフレームとして移動端末装置に通知する。言い換えると、第２の側面においては、スモールセル通信信号をサポートしない移動端末装置（Ｒｅｌ−１１ＬＴＥ以前の移動端末装置）が接続するキャリアにおいては、スモールセル通信信号を含むサブフレームでＲＲＭ／ＲＬＭメジャメントを実行しないように、スモールセル通信信号を含むサブフレームをＲＲＭ／ＲＬＭメジャメントが制限されるサブフレームとして、スモールセル通信信号をサポートしない移動端末装置に通知する。
【００４５】
ＬＴＥ（Ｒｅｌ−１０）においては、上位レイヤシグナリングで指定されたサブフレーム以外でＲＬＭメジャメントを行わない内容がサポートされている（ＴＳ３６．２１３）。また、ＬＴＥ（Ｒｅｌ−１０）においては、干渉が少ないサブフレームを移動端末装置に測定させるため、上位レイヤシグナリングで指定されたサブフレームのみでＲＲＭメジャメントを行う内容がサポートされている（ＴＳ３６．３３１）。
【００４６】
図４は、ＲＲＭ／ＲＬＭメジャメントリストリクションでＲＲＭ／ＲＬＭメジャメントが制限されたサブフレームを含む無線フレームの説明図である。なお、図４においては、ＲＲＭ／ＲＬＭメジャメントリストリクションの内容を簡略化して示している。図４に示すように、ＲＲＭ／ＲＬＭメジャメントリストリクションでは、ＲＲＭ／ＲＬＭメジャメントの実行が指定されるサブフレームにビット「１」が指定され、ＲＲＭ／ＲＬＭメジャメントが制限されるサブフレームにビット「０」が指定される。図４に示す例では、無線フレームを構成するサブフレーム＃０〜＃９のうち、サブフレーム＃０、＃１、＃５〜＃７にてＲＲＭ／ＲＬＭメジャメントの実行が許容され、サブフレーム＃２〜＃４、＃８、＃９にてＲＲＭ／ＲＬＭメジャメントが制限される。
【００４７】
マクロ局又はローカル局は、スモールセル通信信号を、このようにＲＲＭ／ＲＬＭメジャメントが制限されるサブフレームに割り当てる。そして、このように割り当てたＲＲＭ／ＲＬＭメジャメントが制限されるサブフレームを移動端末装置に通知する。例えば、ＲＲＭ／ＲＬＭメジャメントが制限されるサブフレームの通知には、上位レイヤシグナリングが用いられるが、これに限定されない。報知信号や制御信号（例えば、ＰＤＣＣＨ）により通知することもできる。第１の側面と同様に、スモールセル通信信号としては、例えば、ＤＩＳＣＯＶＥＲＹ  ＳＩＧＮＡＬや休止モード指定信号が含まれるが、これに限定されない。
【００４８】
ローカル局がＤＩＳＣＯＶＥＲＹ  ＳＩＧＮＡＬを送信する場合においても、ＤＩＳＣＯＶＥＲＹ  ＳＩＧＮＡＬを含む無線リソース（サブフレーム）は、ＲＲＭ／ＲＬＭメジャメントが制限されるサブフレームに割り当てられている。そして、ＤＩＳＣＯＶＥＲＹ  ＳＩＧＮＡＬをサポートしない移動端末装置には、該当する無線リソース（サブフレーム）がＲＲＭ／ＲＬＭメジャメントが制限されるサブフレームとして通知されている。このため、移動端末装置においては、ＤＩＳＣＯＶＥＲＹ  ＳＩＧＮＡＬを含む無線リソース（サブフレーム）を、ＲＲＭ／ＲＬＭメジャメントを実行できるサブフレームと判定する事態を防止できるので、適切なＲＲＭ／ＲＬＭメジャメントの測定結果をフィードバックすることが可能となる。
【００４９】
同様に、マクロ局が休止モード指定信号を送信する場合においても、休止モード指定信号を含む無線リソース（サブフレーム）は、ＲＲＭ／ＲＬＭメジャメントが制限されるサブフレームに割り当てられている。そして、休止モード指定信号をサポートしない移動端末装置には、該当する無線リソース（サブフレーム）がＲＲＭ／ＲＬＭメジャメントが制限されるサブフレームとして通知されている。このため、移動端末装置においては、休止モード指定信号を含む無線リソース（サブフレーム）を、ＲＲＭ／ＲＬＭメジャメントを実行できるサブフレームと判定する事態を防止できるので、適切なＲＲＭ／ＲＬＭメジャメントの測定結果をフィードバックすることが可能となる。
【００５０】
次に、本発明の第３の側面について詳細に説明する。上述のように、第３の側面においては、スモールセル通信信号を、ＣＳＩメジャメントリストリクションでＣＳＩメジャメントの実行を指定したサブフレームに限定して割り当てると共に、このスモールセル通信信号を割り当てたサブフレームをＣＳＩメジャメントの実行が指定されるサブフレームとして移動端末装置に通知する。
【００５１】
ＬＴＥ（Ｒｅｌ．１０）においては、ＣＳＩメジャメントの実行を指定する２種類のサブフレームセットを用意し、移動端末装置にて、これらのサブフレームセットを用いてＣＳＩメジャメントを実行させる内容がサポートされている（ＣＳＩメジャメントリストリクション）。
【００５２】
図５は、ＣＳＩメジャメントリストリクションでＣＳＩメジャメントの実行が指定されるサブフレームの説明図である。なお、図５においては、ＣＳＩメジャメントリストリクションの内容を簡略化して示している。図５に示すように、マクロ局は、２種類のサブフレームセット（Ｐａｔｔｅｒｎ  ＣＣＳＩ＿０、Ｐａｔｔｅｒｎ  ＣＣＳＩ＿1）を移動端末装置に設定することができる。図５に示す例では、サブフレームｎでＣＣＳＩ＿０のＣＳＩをフィードバックする場合、移動端末装置は、そのサブフレームｎから４サブフレーム以上遡って最も近いＣＣＳＩ＿０を含むサブフレームをＣＱＩ  ｒｅｆｅｒｅｎｃｅ  ｒｅｓｏｕｒｃｅとしてＣＳＩを算出する。
【００５３】
マクロ局は、スモールセル通信信号を、このように設定されるＣＳＩメジャメントの実行が指定される２種類のサブフレームセットのうち、一方のサブフレームセット（例えば、Ｐａｔｔｅｒｎ  ＣＣＳＩ＿０）に割り当てる。そして、このように割り当てたＣＳＩメジャメントの実行が指定されるサブフレームを移動端末装置に通知する。例えば、ＣＳＩメジャメントの実行が指定されるサブフレームの通知には、上位レイヤシグナリングが用いられるが、これに限定されない。報知信号や制御信号（例えば、ＰＤＣＣＨ）により通知することもできる。第１、第２の側面と同様に、スモールセル通信信号としては、例えば、ＤＩＳＣＯＶＥＲＹ  ＳＩＧＮＡＬや休止モード指定信号が含まれるが、これに限定されない。
【００５４】
この通知を受けると、移動端末装置は、２種類のサブフレームセットを用いてＣＳＩメジャメントを実行し、２種類の干渉推定を行ったチャネル受信品質情報をマクロ局にフィードバックする。マクロ局では、スモールセル通信信号が割り当てられた一方のサブフレームセット（例えば、Ｐａｔｔｅｒｎ  ＣＣＳＩ＿０）を認識している。このため、マクロ局では、この一方のサブフレームセット（例えば、Ｐａｔｔｅｒｎ  ＣＣＳＩ＿０）を破棄する。そして、スモールセル通信信号が割り当てられていない他方のサブフレームセット（例えば、Ｐａｔｔｅｒｎ  ＣＣＳＩ＿１）に用いたチャネル受信品質情報を用いてスケジューリング等を実行する。これにより、ローカル局（マクロ局）が、スモールセル通信信号として、ＤＩＳＣＯＶＥＲＹ  ＳＩＧＮＡＬ（休止モード指定信号）を送信する場合においても、これらのスモールセル通信信号の影響を受けないサブフレームを用いたチャネル受信品質情報を用いてスケジューリング等を実行できるので、ＤＩＳＣＯＶＥＲＹ  ＳＩＧＮＡＬ（休止モード指定信号）に起因してチャネル受信品質情報を測定できない事態を抑制することが可能となる。
【００５５】
次に、本発明の第４の側面について詳細に説明する。上述のように、第４の側面においては、スモールセル通信信号を、ＣＳＩ−ＲＳが多重可能な無線リソースに限定して割り当てると共に、このスモールセル通信信号を割り当てた無線リソースを移動端末装置に通知する。言い換えると、第４の側面においては、スモールセル通信信号をサポートしない移動端末装置（Ｒｅｌ−１１ＬＴＥ以前の移動端末装置）が接続するキャリアにおいては、スモールセル通信信号を含む無線リソースでデータ復調を実行しないように、スモールセル通信信号を含む無線リソースをＣＳＩ−ＲＳが多重可能な無線リソースとして、スモールセル通信信号をサポートしない移動端末装置に通知する。
【００５６】
無線リソースに多重されるスモールセル通信信号（例えば、ＤＩＳＣＯＶＥＲＹ  ＳＩＧＮＡＬや休止モード指定信号）は、データ信号ではない。このため、スモールセル通信信号をサポートしない移動端末装置において、これらのスモールセル通信信号を含めてレートマッチングを行うと、適切に受信データのビットレートを調整することができない。一方、移動端末装置において、適切にレートマッチングを行うためには、データ信号（ＰＤＳＣＨ）が割り当てられる無線リソース（ＲＥ）を選択する必要がある。なお、このレートマッチングにおいては、ＣＳＩ−ＲＳが多重される無線リソース（ＲＥ）が除かれる。
【００５７】
このような観点から、第４の側面においては、スモールセル通信信号を、ＣＳＩ−ＲＳが多重可能な無線リソース（ＲＥ）に限定して多重すると共に、このスモールセル通信信号を割り当てた無線リソース（ＲＥ）を移動端末装置に通知する。この通知を受けた移動端末装置においては、スモールセル通信信号が多重されている無線リソース（ＲＥ）を除いてレートマッチングを実行できる。この結果、スモールセル通信信号が多重された無線リソースを含めてレートマッチングを実行する事態を防止できるので、データ信号が多重され得る無線リソースを用いて適切にレートマッチングを実行することが可能となる。
【００５８】
以下、本実施の形態に係る無線通信システムについて詳細に説明する。図６は、本実施の形態に係る無線通信システムのシステム構成の説明図である。なお、図６に示す無線通信システムは、例えば、ＬＴＥシステム或いは、ＳＵＰＥＲ  ３Ｇが包含されるシステムである。この無線通信システムでは、ＬＴＥシステムのシステム帯域を１単位とする複数の基本周波数ブロックを一体としたキャリアアグリゲーションに対応している。また、この無線通信システムは、ＩＭＴ−Ａｄｖａｎｃｅｄと呼ばれても良いし、４Ｇ、ＦＲＡ（Ｆｕｔｕｒｅ  Ｒａｄｉｏ  Ａｃｃｅｓｓ）と呼ばれても良い。
【００５９】
図６に示すように、無線通信システム１は、マクロセルＣ１をカバーするマクロ局３０と、マクロセルＣ１内に設けた複数のスモールセルＣ２をカバーする複数のローカル局２０とを備えている。また、マクロセルＣ１及び各スモールセルＣ２には、多数の移動端末装置１０が配置されている。移動端末装置１０は、マクロセル用及びスモールセル用の無線通信方式に対応しており、マクロ局３０及びローカル局２０と無線通信可能に構成されている。
【００６０】
移動端末装置１０とマクロ局３０との間は、マクロセル用周波数（例えば、低周波数帯）を用いて通信される。移動端末装置１０とローカル局２０との間は、スモールセル用周波数（例えば、高周波数帯）を用いて通信される。また、マクロ局３０及び各ローカル局２０は、有線接続又は無線接続されている。
【００６１】
マクロ局３０及び各ローカル局２０は、それぞれ図示しない上位局装置に接続され、上位局装置を介してコアネットワーク５０に接続される。なお、上位局装置には、例えば、アクセスゲートウェイ装置、無線ネットワークコントローラ（ＲＮＣ）、モビリティマネジメントエンティティ（ＭＭＥ）等が含まれるが、これに限定されるものではない。また、ローカル局２０は、マクロ局３０を介して上位局装置に接続されてもよい。
【００６２】
なお、各移動端末装置１０は、ＬＴＥ端末及びＬＴＥ−Ａ端末を含むが、以下においては、特段の断りがない限り移動端末装置として説明を進める。また、説明の便宜上、マクロ局３０及びローカル局２０と無線通信するのは移動端末装置であるものとして説明するが、より一般的には移動端末装置も固定端末装置も含むユーザ装置（ＵＥ：Ｕｓｅｒ  Ｅｑｕｉｐｍｅｎｔ）でよい。また、ローカル局２０及びマクロ局３０は、マクロセル用及びスモールセル用の送信ポイントと呼ばれてもよい。なお、ローカル局２０は、光張り出し基地局装置であってもよい。
【００６３】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００６４】
ここで、ＬＴＥシステムにおける通信チャネルについて説明する。下りリンクの通信チャネルは、各移動端末装置１０で共有されるＰＤＳＣＨ（Ｐｈｙｓｉｃａｌ  Ｄｏｗｎｌｉｎｋ  Ｓｈａｒｅｄ  Ｃｈａｎｎｅｌ）と、下りＬ１／Ｌ２制御チャネル（ＰＤＣＣＨ、ＰＣＦＩＣＨ、ＰＨＩＣＨ）とを有する。ＰＤＳＣＨにより、ユーザデータ及び上位制御情報が伝送される。ＰＤＣＣＨ（Ｐｈｙｓｉｃａｌ  Ｄｏｗｎｌｉｎｋ  Ｃｏｎｔｒｏｌ  Ｃｈａｎｎｅｌ）により、ＰＤＳＣＨおよびＰＵＳＣＨのスケジューリング情報等が伝送される。ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）により、ＰＤＣＣＨに用いるＯＦＤＭシンボル数が伝送される。ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）により、ＰＵＳＣＨに対するＨＡＲＱのＡＣＫ／ＮＡＣＫが伝送される。
【００６５】
上りリンクの通信チャネルは、各移動端末装置１０で共有される上りデータチャネルとしてのＰＵＳＣＨ（Ｐｈｙｓｉｃａｌ  Ｕｐｌｉｎｋ  Ｓｈａｒｅｄ  Ｃｈａｎｎｅｌ）と、上りリンクの制御チャネルであるＰＵＣＣＨ（Ｐｈｙｓｉｃａｌ  Ｕｐｌｉｎｋ  Ｃｏｎｔｒｏｌ  Ｃｈａｎｎｅｌ）とを有する。このＰＵＳＣＨにより、ユーザデータや上位制御情報が伝送される。また、ＰＵＣＣＨにより、下りリンクの無線品質情報（ＣＱＩ：Ｃｈａｎｎｅｌ  Ｑｕａｌｉｔｙ  Ｉｎｄｉｃａｔｏｒ）、ＡＣＫ／ＮＡＣＫ等が伝送される。
【００６６】
以下、図７及び図８を参照して、マクロ局３０及びローカル局２０の全体構成について説明する。図７及び図８は、それぞれマクロ局（マクロセル基地局装置）３０及びローカル局（スモールセル基地局装置）２０の全体構成図である。なお、以下の説明においては、スモールセル通信信号の一例として、マクロ局３０が休止モード指定信号を生成し、ローカル局２０がＤＩＳＣＯＶＥＲＹ  ＳＩＧＮＡＬを生成する場合について説明するものとする。しかしながら、マクロ局３０及びローカル局２０が生成するスモールセル通信信号については、これに限定されるものではなく適宜変更が可能である。
【００６７】
図７に示すように、マクロ局３０は、送信系の処理部として、制御情報生成部３０１、休止モード指定信号生成部３０２、下り信号生成部３０３、下り信号多重部３０４、ベースバンド送信信号処理部３０５及び送信ＲＦ回路３０６を備えている。
【００６８】
制御情報生成部３０１は、マクロ局３０及びローカル局２０により移動端末装置１０と通信を行うための制御情報を生成する。制御情報生成部３０１は、生成した制御情報を伝送路インターフェース３１２及び下り信号多重部３０４に出力する。例えば、ローカル局２０からＤＩＳＣＯＶＥＲＹ  ＳＩＧＮＡＬを送信するための制御情報（ＤＳ送信制御情報）が伝送路インターフェース３１２に出力される。ＤＳ送信制御情報は、伝送路インターフェース３１２を介してローカル局２０に送信される。一方、マクロセル用の制御情報（マクロセル制御情報）は、下り信号多重部３０４を介して移動端末装置１０に送信される。
【００６９】
休止モード指定信号生成部３０２は、制御情報生成部３０１からの指示に応じて休止モード指定信号を生成する。下り信号生成部３０３は、下りデータ信号及び下り参照信号を生成する。また、下り信号生成部３０３は、休止モード指定信号が多重される無線リソースに応じて、その無線リソースを識別可能な識別情報を含む上位レイヤ信号を生成する。例えば、第１の側面においては、ＭＢＳＦＮサブフレームとして選択可能なサブフレームを含む上位レイヤ信号が生成される。また、第２の側面においては、ＲＲＭ／ＲＬＭメジャメントリストリクションでＲＲＭ／ＲＬＭメジャメントを制限したサブフレームを含む上位レイヤ信号が生成される。さらに、第３の側面においては、ＣＳＩメジャメントリストリクションでＣＳＩメジャメントの実行を指定したサブフレームを含む上位レイヤ信号が生成される。さらに、第４の側面においては、ＣＳＩ−ＲＳが多重可能な無線リソースを含む上位レイヤ信号が生成される。さらに、第５の側面においては、物理下りリンク制御チャネルが割り当てられるリソースを持たないキャリアタイプ（ニューキャリアタイプ）のサブフレームを含む上位レイヤ信号が生成される。
【００７０】
下り信号多重部３０４は、多重部を構成するものであり、マクロセル制御情報と、休止モード指定信号と、マクロセルの下りリンク信号として下りデータ信号と、下り参照信号とを多重する。例えば、第１の側面において、下り信号多重部３０４は、ＭＢＳＦＮサブフレームとして選択可能なサブフレームに休止モード指定信号を多重する。また、第２の側面において、下り信号多重部３０４は、ＲＲＭ／ＲＬＭメジャメントリストリクションでＲＲＭ／ＲＬＭメジャメントを制限したサブフレームに休止モード指定信号を多重する。さらに、第３の側面において、下り信号多重部３０４は、ＣＳＩメジャメントリストリクションでＣＳＩメジャメントの実行を指定したサブフレームに休止モード指定信号を多重する。さらに、第４の側面において、下り信号多重部３０４は、ＣＳＩ−ＲＳが多重可能な無線リソースに休止モード指定信号を多重する。さらに、第５の側面において、下り信号多重部３０４は、物理下りリンク制御チャネルが割り当てられるリソースを持たないキャリアタイプ（ニューキャリアタイプ）のサブフレームに休止モード指定信号を多重する。
【００７１】
移動端末装置１０に対するマクロセルの下りリンク信号は、ベースバンド送信信号処理部３０５に入力され、デジタル信号処理が施される。例えば、ＯＦＤＭ方式の下り信号の場合には、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）により周波数領域の信号から時系列の信号に変換され、サイクリックプレフィックスが挿入される。そして、下りリンク信号は、送信ＲＦ回路３０６を通り、送信系と受信系との間に設けたデュプレクサ３０７を介して送受信アンテナ３０８０から送信される。
【００７２】
また、マクロ局３０は、図７に示すように、受信系の処理部として、受信ＲＦ回路３０９、ベースバンド受信信号処理部３１０、上り信号復調・復号部３１１を備えている。
【００７３】
移動端末装置１０からの上りリンク信号は、送受信アンテナ３０８で受信され、デュプレクサ３０７及び受信ＲＦ回路３０９を介してベースバンド受信信号処理部３１０に入力される。ベースバンド受信信号処理部３１０では上り信号にデジタル信号処理が施される。例えば、ＯＦＤＭ方式の上り信号の場合には、サイクリックプレフィックスが除去され、高速フーリエ変換（ＦＦＴ：  Ｆａｓｔ  Ｆｏｕｒｉｅｒ  Ｔｒａｎｓｆｏｒｍ）により時間系列の信号から周波数領域の信号に変換される。上りデータ信号は、上り信号復調・復号部３１１に入力され、上り信号復調・復号部３１１において復号（デスクランブル）及び復調される。
【００７４】
一方、ローカル局２０は、図８に示すように、制御情報受信部２０１を備えている。また、ローカル局２０は、送信系の処理部として、下り信号生成部２０２、ＤＩＳＣＯＶＥＲＹ  ＳＩＧＮＡＬ生成部２０３、下り信号多重部２０４、ベースバンド送信信号処理部２０５、送信ＲＦ回路２０６を備えている。なお、ローカル局２０は、移動端末装置１０の直近に配置されているものとする。
【００７５】
制御情報受信部２０１は、伝送路インターフェース２１３を介して、マクロ局３０から制御情報を受信する。例えば、ＤＳ送信制御情報が受信される。制御情報受信部２０１は、ＤＳ送信制御情報をＤＩＳＣＯＶＥＲＹ  ＳＩＧＮＡＬ生成部２０３に出力する。また、ローカル局２０が制御情報を移動端末装置１０へ転送する場合は、該当する制御情報を下り信号多重部２０４へ出力する。
【００７６】
下り信号生成部２０２は、下りデータ信号（ＰＤＳＣＨ）、下り参照信号、下り制御信号（ｅＰＤＣＣＨ）を生成する。下り信号生成部２０２は、ＤＩＳＣＯＶＥＲＹ  ＳＩＧＮＡＬが多重される無線リソースに応じて、その無線リソースを識別可能な識別情報を含む上位レイヤ信号を生成する。例えば、第１の側面においては、ＭＢＳＦＮサブフレームとして選択可能なサブフレームを含む上位レイヤ信号が生成される。また、第２の側面においては、ＲＲＭ／ＲＬＭメジャメントリストリクションでＲＲＭ／ＲＬＭメジャメントを制限したサブフレームを含む上位レイヤ信号が生成される。さらに、第３の側面においては、ＣＳＩメジャメントリストリクションでＣＳＩメジャメントの実行を指定したサブフレームを含む上位レイヤ信号が生成される。さらに、第４の側面においては、ＣＳＩ−ＲＳが多重可能な無線リソースを含む上位レイヤ信号が生成される。さらに、第５の側面においては、物理下りリンク制御チャネルが割り当てられるリソースを持たないキャリアタイプ（ニューキャリアタイプ）のサブフレームを含む上位レイヤ信号が生成される。
【００７７】
ＤＩＳＣＯＶＥＲＹ  ＳＩＧＮＡＬ生成部２０３は、制御情報受信部２０１から入力されたＤＳ送信制御情報に基づいてＤＩＳＣＯＶＥＲＹ  ＳＩＧＮＡＬを生成する。ＤＳ送信制御情報には、移動端末装置１０にＤＩＳＣＯＶＥＲＹ  ＳＩＧＮＡＬを送信するための無線リソース情報や信号系列情報等が含まれている。無線リソース情報には、例えば、ＤＩＳＣＯＶＥＲＹ  ＳＩＧＮＡＬの送信間隔、周波数位置、符号（コード）等が含まれる。
【００７８】
下り信号多重部２０４は、多重部を構成するものであり、下り送信データと、ＤＩＳＣＯＶＥＲＹ  ＳＩＧＮＡＬと、下り参照信号と、下り制御信号とを多重する。例えば、第１の側面において、下り信号多重部２０４は、ＭＢＳＦＮサブフレームとして選択可能なサブフレームにＤＩＳＣＯＶＥＲＹ  ＳＩＧＮＡＬを多重する。また、第２の側面において、下り信号多重部２０４は、ＲＲＭ／ＲＬＭメジャメントリストリクションでＲＲＭ／ＲＬＭメジャメントを制限したサブフレームにＤＩＳＣＯＶＥＲＹ  ＳＩＧＮＡＬを多重する。さらに、第３の側面において、下り信号多重部２０４は、ＣＳＩメジャメントリストリクションでＣＳＩメジャメントの実行を指定したサブフレームにＤＩＳＣＯＶＥＲＹ  ＳＩＧＮＡＬを多重する。さらに、第４の側面において、下り信号多重部２０４は、ＣＳＩ−ＲＳが多重可能な無線リソースにＤＩＳＣＯＶＥＲＹ  ＳＩＧＮＡＬを多重する。さらに、第５の側面において、下り信号多重部２０４は、物理下りリンク制御チャネルが割り当てられるリソースを持たないキャリアタイプ（ニューキャリアタイプ）のサブフレームにＤＩＳＣＯＶＥＲＹ  ＳＩＧＮＡＬを多重する。
【００７９】
移動端末装置１０に対する下りリンク信号は、ベースバンド送信信号処理部２０５に入力され、デジタル信号処理が施される。例えば、ＯＦＤＭ方式の下り信号の場合には、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）により周波数領域の信号から時系列の信号に変換され、サイクリックプレフィックスが挿入される。そして、下りリンク信号は、送信ＲＦ回路２０６を通り、送信系と受信系との間に設けた切替スイッチ２０７を介して送受信アンテナ２０８から送信される。なお、切替スイッチ２０７の代わりにデュプレクサを設けてもよい。
【００８０】
また、図８に示すように、ローカル局２０は、受信系の処理部として、受信ＲＦ回路２０９、ベースバンド受信信号処理部２１０、上り信号復調・復号部２１１、転送部２１２を備えている。
【００８１】
移動端末装置１０からのスモールセルの上りリンク信号は、スモールセル用の送受信アンテナ２０８で受信され、切替スイッチ２０７及び受信ＲＦ回路２０９を介してベースバンド受信信号処理部２１０に入力される。ベースバンド受信信号処理部２１０では上り信号にデジタル信号処理が施される。例えば、ＯＦＤＭ方式の上り信号の場合には、サイクリックプレフィックスが除去され、高速フーリエ変換（ＦＦＴ：  Ｆａｓｔ  Ｆｏｕｒｉｅｒ  Ｔｒａｎｓｆｏｒｍ）により時間系列の信号から周波数領域の信号に変換される。上りデータ信号は、上り信号復調・復号部２１１に入力され、上り信号復調・復号部２１１において復号（デスクランブル）及び復調される。
【００８２】
転送部２１２は、上りリンク信号から復号されたＣＳＩ情報等の情報を、伝送路インターフェース２１３を介してマクロ局３０に転送する。例えば、マクロ局３０によってデータチャネル、制御チャネル信号を送信するローカル局として決定された場合、伝送路インターフェース２１３を介して移動端末装置１０との間でデータチャネル、制御チャネル信号を送信する指示が通知される。
【００８３】
以上のように、本実施の形態に係る無線通信システム１によれば、移動端末装置１０に対してスモールセル通信信号（例えば、ＤＩＳＣＯＶＥＲＹ  ＳＩＧＮＡＬ、休止モード指定信号）が多重される無線リソースの識別情報（上位レイヤシグナリング）が通知されるので、スモールセル通信信号をサポートしない移動端末装置１０において、該当する無線リソースを識別でき、スモールセル通信信号から受ける悪影響を低減することが可能となる。
【００８４】
本発明は上記実施の形態に限定されず、様々変更して実施することが可能である。例えば、本発明の範囲を逸脱しない限りにおいて、上記説明におけるキャリア数、キャリアの帯域幅、シグナリング方法、処理部の数、処理手順については適宜変更して実施することが可能である。その他、本発明の範囲を逸脱しないで適宜変更して実施することが可能である。
【符号の説明】
【００８５】
１  無線通信システム
１０  移動端末装置
２０  ローカル局
２０１  制御情報受信部
２０２  下り信号生成部
２０３  ＤＩＳＣＯＶＥＲＹ  ＳＩＧＮＡＬ生成部
３０  マクロ局
３０１  制御情報生成部
３０２  休止モード指定信号生成部
３０３  下り信号生成部
【図１】
2014082588.tif 000003
【図２】
2014082588.tif 000004
【図３】
2014082588.tif 000005
【図４】
2014082588.tif 000006
【図５】
2014082588.tif 000007
【図６】
2014082588.tif 000008
【図７】
2014082588.tif 000009
【図８】
2014082588.tif 000010